(57)【要約】【課題】ノック操作部の操作によって使用モードにする書記具において、書記モード解除操作を容易にし、また、筒状部外周面のデザイン性の向上を図ることを目的とする。【解決手段】筒状部（１，２，７，８）の上側で、かつ、ノック操作部（１７）の外側の部分に配設された解除ツマミ（１２）を有する書記モード解除部材（１１，１２）を、当該筒状部の縦方向に移動操作可能なかたちで設けた。利用者が当該解除ツマミを上方向に引き上げると、カム作用孔部（１１ａ）と半球状カム面（６ａ）との倣い作用によってノック操作保持部材（６）が右方向に動き、それまでの角形フランジ部（６ｂ）とノック部材（１０）の段部（１０ｃ）との使用モード係止状態が解除される。【選択図】  図４
2010274578.tif 000002
【特許請求の範囲】
【請求項１】
書記部を収容した筒状部のノック操作部側に、当該筒状部の縦方向に移動可能であってノック操作と連動する書記モード設定部材と、当該筒状部の横方向に移動可能な形で配設されて当該書記モード設定部材をノック操作後の書記位置に保持するための書記モード保持部材と、この保持状態の当該書記モード保持部材に作用して当該書記モード設定部材をノック操作後の書記位置からノック操作前の非書記位置に復帰させるための書記モード解除部材と、を有する書記具において、
前記書記モード設定部材は、
前記非書記位置への復帰方向に第１の弾性体により付勢され、
前記書記モード保持部材と交差した形での、自らの前記縦方向への移動を可能とする連続部分であって、かつ、当該書記モード保持部材の前記横方向への移動を阻止する移動阻止部分および、当該移動阻止部分からノック操作部の方に続いて当該移動を許容する移動許容部分からなる、連続部分を備えた部材であり、
前記書記モード保持部材は、
前記横方向に第２の弾性体により付勢され、
前記移動阻止部分に当接して前記非書記位置の前記書記モード設定部材の前記縦方向への移動を許容し、かつ、前記移動許容部分との係止作用により当該書記モード設定部材を前記書記位置に保持する書記モード保持作用部と、
当該書記モード設定部材の当該書記位置への保持状態で、前記書記モード解除部材との解除作用位置までシフトする書記モード被解除作用部分と、を備えた部材であり、
前記書記モード解除部材は、
前記筒状部の上側で、かつ、前記ノック操作部の外側の部分に配設された筒状解除操作部と、
前記書記モード保持部材の前記書記モード被解除作用部分に対応した解除作用部分と、を備えた筒状部材であって、
当該筒状解除操作部に対する前記縦方向への移動操作により、当該解除作用部分が、当該書記モード被解除作用部分を前記シフト前の位置に戻して、前記書記モード設定部材の前記移動許容部分と前記書記モード保持部材の前記書記モード保持作用部との係止状態を解除する、
ことを特徴とする書記具。
【請求項２】
前記書記モード解除部材は、
前記縦方向への移動操作の対象であって、前記係止状態を解除する際には上方向に動かされる筒状解除操作部を有している、
ことを特徴とする請求項１記載の書記具。
【発明の詳細な説明】
【技術分野】
【０００１】
本発明は、書記部を収容した筒状部のノック操作部側に、当該筒状部の縦方向に移動可能であってノック操作と連動する書記モード設定部材と、当該筒状部の横方向に移動可能な形で配設されて当該書記モード設定部材をノック操作後の書記位置に保持するための書記モード保持部材と、この保持状態の当該書記モード保持部材に作用して当該書記モード設定部材をノック操作後の書記位置からノック操作前の非書記位置に復帰させるための書記モード解除部材と、を有する書記具に関する。
【０００２】
特に、ノック操作後の状態の書記モード保持部材に作用する書記モード解除部材を、ノック操作部の外側に、書記部収容筒状部の縦方向に移動する筒状部材の形で配設した書記具に関する。
【０００３】
このような書記部としては、シャープペンシル，ボールペン，フェルトペン，修正液ペン，繰出式消しゴム，万年筆，樹脂ペン先ペン，クレヨンなどの筆記部材またはアイライナー，マニキュア，口紅，眉墨など化粧部材などが用いられる。また、書記具に収容する書記部の本数は任意である。
【０００４】
なお、本明細書において、
(12)「非使用モード」とは、書記部を収容した軸筒（筒状部）から書記部が露出していないノック操作前の状態を示し、
(13)「使用モード」とは、ノック操作後の、軸筒から書記部が露出している状態を示し、
(14)「先，下」とは、軸筒の書記部露出側（図１〜図４の下側）を示し、
(15)「後，上」とは、軸筒のノック操作部側（図１〜図４の上側）を示し
(16)「縦方向」とは軸筒の長手方向（図１〜図４の上下方向）を示し、
(17)「横方向」とは軸筒の幅方向（図１〜図４の左右方向）を示している。
【背景技術】
【０００５】
従来、書記部を露出状態にするためのノック操作部材を軸筒の後端に設け、かつ、収納状態にするための解除操作部を軸筒の後部外周面に設けた書記具は、例えば下記の文献などで開示されている。
【０００６】
この書記具は、非使用モードの軸筒（軸筒Ａ）上端のノック操作部材（押下筒体７）をノック部材用スプリング（コイルスプリング１４）の付勢に抗して押圧（下動）すると、軸筒に設けられてノック方向と直交する方向に移動可能な解除部材（押込釦５）の係合部（角形掛合部５ｄ）がノック操作部材の長孔（第２の窓孔１０）上端の拡張部（掛合孔１０ａ）に至り、解除部材用スプリング（コイルバネ６）による付勢で当該拡張部に入り込んで、ノック操作部材の復帰（上動）を規制する。
【０００７】
そして、ノック操作部材に設けられた押出部材（押出杵２）が、書記具を保持し、かつ、上側に付勢されたレフィールケース（挿入管Ｃ）の一つをその付勢に抗して下動させて、書記具は軸筒から露出した使用モード（書記モード）に設定される。
【０００８】
この状態から、解除部材を解除部材用スプリングの付勢に抗して横方向に押圧すると、解除部材の係合部がノック操作部材の拡張部から外れて、ノック部材，押出部材およびレフィールケースなどはノック部材用スプリングの作用で上方向に復帰する。すなわち初期の非使用モードに復帰する。
【先行技術文献】
【特許文献】
【０００９】
【特許文献１】特公平０６−０３３０２９号公報
【発明の概要】
【発明が解決しようとする課題】
【００１０】
このように、軸筒（書記部を収容した筒状部）の後端に設けたノック操作部材と軸筒外周面に設けた解除操作部とをそ書記部を収容した筒状部れぞれ押圧することで簡単に使用モード・非使用モードを切り替え設定して使用することができる。
【００１１】
しかしながら、使用モードの解除操作部を軸筒の側面に設けているので、解除操作部を軸筒の径に対し大きくして解除操作性の向上を図ろうとする場合、限界があった。
【００１２】
また、解除操作部は、押圧式のボタンが軸筒側面の一部に露出するだけである。そのため解除操作部が利用者の視野外に位置しているときには、利用者はこの解除操作部を認識するために軸筒を回動させたり、指で触知したりする必要があった。
【００１３】
そこで本発明では、書記部を収容した筒状部の上側で、かつ、ノック操作部の外側の部分に書記モード解除用の筒状解除操作部を設けて、書記モード解除操作を容易にし、また、筒状部外周面のデザイン性の向上を図ることを目的とする。
【課題を解決するための手段】
【００１４】
本発明は、以上の課題を次のようにして解決する。
（１）書記部を収容した筒状部（例えば後述の上軸筒１，下軸筒２，半円筒状部材７，８）のノック操作部側に、当該筒状部の縦方向に移動可能であってノック操作と連動する書記モード設定部材（例えば後述のノック部材１０）と、当該筒状部の横方向に移動可能な形で配設されて当該書記モード設定部材をノック操作後の書記位置に保持するための書記モード保持部材（例えば後述のノック操作保持部材６）と、この保持状態の当該書記モード保持部材に作用して当該書記モード設定部材をノック操作後の書記位置からノック操作前の非書記位置に復帰させるための書記モード解除部材（例えば後述のロック解除筒１１，解除ツマミ１２）と、を有する書記具において、
前記書記モード設定部材は、
前記非書記位置への復帰方向に第１の弾性体（例えば後述のノック部材用スプリング２２）により付勢され、
前記書記モード保持部材と交差した形での、自らの前記縦方向への移動を可能とする連続部分であって、かつ、当該書記モード保持部材の前記横方向への移動を阻止する移動阻止部分（例えば後述の幅狭スリット部１０ａ）および、当該移動阻止部分からノック操作部（例えば後述のノック操作部１７）の方に続いて当該移動を許容する移動許容部分（例えば後述の幅広スリット部１０ｂ）からなる、連続部分を備えた部材であり、
前記書記モード保持部材は、
前記横方向に第２の弾性体（例えば後述のノック操作保持部材用スプリング９）により付勢され、
前記移動阻止部分に当接して前記非書記位置の前記書記モード設定部材の前記縦方向への移動を許容し、かつ、前記移動許容部分との係止作用により当該書記モード設定部材を前記書記位置に保持する書記モード保持作用部（例えば後述の角形フランジ部６ｂ）と、
当該書記モード設定部材の当該書記位置への保持状態で、前記書記モード解除部材との解除作用位置までシフトする書記モード被解除作用部分（例えば後述の半球状カム面６ａ）と、を備えた部材であり、
前記書記モード解除部材は、
前記筒状部の上側で、かつ、前記ノック操作部の外側の部分に配設された筒状解除操作部（例えば後述の解除ツマミ１２）と、
前記書記モード保持部材の前記書記モード被解除作用部分に対応した解除作用部分（例えば後述のカム作用孔部１１ａ）とを備えた筒状部材であって、
当該筒状解除操作部に対する前記縦方向への移動操作により、当該解除作用部分が、当該書記モード被解除作用部分を前記シフト前の位置に戻して、前記書記モード設定部材の前記移動許容部分と前記書記モード保持部材の前記書記モード保持作用部との係止状態を解除する。
（２）上記（１）において、
前記筒状解除操作部は、
前記書記モード設定部材の前記移動許容部分と前記書記モード保持部材の前記書記モード保持作用部との係止状態を解除する際には、上方向に動かされる。
【発明の効果】
【００１５】
本発明はこのように、書記部を収容した筒状部の上側で、かつ、ノック操作部の外側の部分に書記モード解除用の筒状解除操作部を設けているので、書記モード解除操作を容易にするとともに、筒状部外周面のデザイン性の向上を図ることができる。
【図面の簡単な説明】
【００１６】
【図１】書記具の非使用モード、すなわちノック操作がされずに書記部の先端部分が軸筒内部に収容された状態を示す説明図である。
【図２】図１の書記具の操作部（使用モード設定操作部および使用モード解除操作部）の側を拡大した状態を示す説明図である。
【図３】図１の書記具の使用モード、すなわちノック操作が保持されて書記部の先端部分が軸筒から露出した状態を示す説明図である。
【図４】使用モード解除操作部の押上操作により、図３の使用モードから図１の非使用モードに復帰する途中の状態を示す説明図である。
【発明を実施するための形態】
【００１７】
図１〜図４を用いて本発明を実施するための形態を説明する。
【００１８】
上述したように、本発明は書記部として各種の筆記部材および化粧部材などを対象としているが、以下の図を用いた記載では、単なる説明の便宜上、ボールペン（レフィール）の場合を前提とする。
【００１９】
なお、各図で用いるアルファベット付き参照番号の構成要素（例えば孔部２ａ）は原則として、当該参照番号の数字部分の構成要素（例えば下軸筒２）の一部であることを示している。
【００２０】
図１〜図４において、
１は後述のノック操作保持部材６，半円筒状部材７，８，ノック部材１０，ロック解除筒１１および仕切筒１５などを収容し、上端側外周面に後述のクリップ１６を備えた上軸筒，
２は後述のレフィールケース１８を収容した下軸筒，
２ａは使用モード（書記モード）において後述のレフィール２０が露出する孔部，
３は下軸筒２の内面に嵌合して書記時の重量バランスを改善するための筒状の錘，
４は上軸筒１の下端側内周面および下軸筒２の上端側内周面のそれぞれと螺合して両者を一体化する筒状の軸継手，
５は上軸筒１の上側開口部に取り付けられた天冠，
６は後述のノック部材１０に対してノック操作位置への係止・保持作用を呈する軸状のノック操作保持部材，
６ａは軸部分の係止・保持作用端側に設けられた半球状カム面，
６ｂは軸部分に設けられて後述のノック部材１０へのノック操作係止作用を呈する角形フランジ部，
７は後述の第２の半円筒状部材８とともに上軸筒１の内部に圧入された半円状断面の第１の半円筒状部材，
７ａはノック操作保持部材６の半球状カム面６ａ側の軸部分を摺動可能に保持して案内する案内作用孔部，
８は第１の半円筒状部材と嵌合した状態で上軸筒１の内部に圧入されている略半円状断面の第２の半円筒状部材，
８ａはノック操作保持部材６の半球状カム面６ａとは反対側の軸部分を摺動可能に保持する鞘状部，
９はノック操作保持部材６を横方向（角形フランジ部６ｂが後述の幅狭スリット部１０ａおよび幅広スリット部１０ｂに押し付けられる方向）に付勢するノック操作保持部材用スプリング，
１０は円筒状に組み合わされている第１の半円筒状部材７および第２の半円筒状部材８の内側に摺動可能に設けられたノック部材，
１０ａはノック操作保持部材６の軸の径よりも大きくて、角形フランジ部６ｂの図面垂直方向の長さよりも小さい幅からなる上下方向の幅狭スリット部，
１０ｂはノック操作保持部材６の角形フランジ部６ｂが入り込める大きさの幅からなる上下方向の幅広スリット部，
１０ｃは幅狭スリット部１０ａと幅広スリット部１０ｂとの間の段部，
１１はノック操作後の使用モード位置（図３参照）にいわばロックされているノック操作保持部材６をノック操作保持部材用スプリング９の弾性力に抗して後退させるためのロック解除筒，
１１ａはその内側縁部分がノック操作保持部材６の半球状カム面６ａへのカムフォロアとして作用するカム作用孔部，
１２はロック解除筒１１の上側外周面と螺合し、全体として上軸筒１とは別にその上方部分に配設され、利用者の使用モード解除操作部となる筒状の解除ツマミ，
１３はロック解除筒１１およびこれと一体の解除ツマミ１２を下方向に、すなわちその初期位置に復帰する方向に付勢するロック解除筒用スプリング，
１４は上軸筒１の内面および天冠５の下端に当接する態様で、円筒状に組み合わされている第１の半円筒状部材７および第２の半円筒状部材８の外周面に設けられたリング，
１５は後述の複数のレフィールケース１８を個々に保持するための仕切筒，
１６は上軸筒１の外周面に設けられたクリップ，
１７はノック部材１０の上端部に被せるかたちで取り付けられた鞘状のノック操作部，
１８は後述のレフィール２０を個々に保持する鞘状のレフィールケース，
１８ａはレフィール２０の差し込み側とは反対側の上端部分に設けられた尾栓，
１９は仕切筒１５の内部に配設されてレフィールケース１８を上方向に、すなわち非使用位置に設定する方向に付勢するレフィールケース用スプリング，
２０はレフィール（ボールペン書記部），
２１は非使用モードの書記具全体の３次元空間姿勢（例えば書記具全体を斜めにしたときにどのレフィールケースが下側になっているか）に応じて、上端部を支点とする形で傾動し、使用モードへの移行にともない、当該傾動状態における前端側部分の先に配されているレフィールケース１８を押して、その中のレフィール書記部分を下軸筒２の孔部２ａから突出させるための、直線状で振り子式の押出部材，
２１ａは当該レフィールケース１８を押すための押圧作用部（前端側部分），
２２はノック部材１０を上方向に、すなわち非使用位置に設定する方向に付勢するノック部材用スプリング，
２３はノック部材１０の下端側部分に取り付けられて、押出部材２１の上端側の支点作用部を受けるとともに、ノック部材用スプリング２２の上端部を受ける筒状の保持部材，
をそれぞれ示している。
【００２１】
以上の各構成要素の中、第１の半円筒状部材７，第２の半円筒状部材８，ノック部材１０および仕切筒１５はそれぞれ、ポリプロピレン，ポリエチレン，ポリアセタール，ナイロン，ポリブチレンテレフタレートなどからなるプラスチック製のものである。リング１４はプラスチック製または金属製のものである。
【００２２】
また、上軸筒１，下軸筒２，錘３，軸継手４，天冠５，ノック操作保持部材６，ノック操作保持部材用スプリング９，ロック解除筒１１，解除ツマミ１２，ロック解除筒用スプリング１３，クリップ１６，ノック操作部１７，レフィールケース用スプリング１９，押出部材２１，ノック部材用スプリング２２および保持部材２３は金属製のものである。
【００２３】
また、レフィールケース１８の尾栓１８ａはプラスチック製のもので、その他のレフィールケース部分は金属製のものである。レフィール２０は全体が金属製筐体のボールペンユニットを示している。
【００２４】
図１〜図４の書記具の基本的特徴は、使用モード解除操作部としての解除ツマミ１２を、上軸筒１の上方で、ノック部材１０およびノック操作部１７の外側となる部分に、筒状部の形で設けたことである。
【００２５】
そのため利用者は、使用モードの解除操作に際して、その操作部である筒状の解除ツマミ１２をどの方向からも容易に認識でき、かつ、軸筒部分を把持したままその手で（例えばその手の親指を使って）、ノック部材１０，ノック操作部１７の近くの当該解除ツマミを簡単に操作することが出来る。
【００２６】
また、使用モード解除操作部（解除ツマミ１２）を軸筒に設けてないので、軸筒外周面のデザインを検討する上で、当該解除操作部による制約をうけることがない。
【００２７】
図１および図２の非使用モードでは、ロック解除筒用スプリング１３により下方向に付勢されるロック解除筒１１に取り付けられた解除ツマミ１２の下面が天冠５の上面に当接し、半円筒状部材７の案内作用孔部７ａとロック解除筒１１のカム作用孔部１１ａとの中心位置が一致した状態になっている。
【００２８】
このとき、角形フランジ部６ｂは、幅狭スリット部１０ａに入り込めずに、ノック操作保持部材用スプリング９に抗する形で図示右方向に後退し、当該角形フランジ部の左側面が当該幅狭スリット部の両側のノック部材内周面に当接した状態になっている。
【００２９】
利用者が、この非使用モードのノック操作部１７の上面を押圧すると、「ノック操作部１７−ノック部材１０−押出部材２１（押圧作用部２１ａ）−尾栓１８ａ−レフィールケース１８−レフィール２０」が連動して、当該押圧作用部と対向状態のレフィール２０の先端書記部分が、孔部２ａから露出する。
【００３０】
ノック部材１０が下方所定位置まで移動すると、それまで後退状態で幅狭スリット部１０ａに案内されていた角形フランジ部６ｂが、ノック操作保持部材用スプリング９の作用で幅広スリット部１０ｂに入り込み、かつ、ノック操作保持部材６の半球状カム面６ａが、ロック解除筒１１のカム作用孔部１１ａに入り込んで当該孔部に係止される。
【００３１】
そして、利用者がノック操作部１７の押圧操作を止めた場合、ノック部材１０はノック部材用スプリング２２の上方向への付勢力によって非使用モードの位置に復帰しようとするが、当該ノック部材の段部１０ｃが角形フランジ部６ｂの下端部分に当接して、その非使用モードへの復帰は阻止される。すなわち、レフィール２０の先端が孔部２ａから露出したまま保持され、図３の使用モードとなる。
【００３２】
使用モードを解除するには、図４に示すように、利用者が、解除ツマミ１２を例えば把持してロック解除筒用スプリング１３の下方向への付勢力に抗する形で、上方向に引き上げればよい。
【００３３】
この解除ツマミ１２の引上げ操作によりロック解除筒１１のカム作用孔部１１ａも上方に移動し、このカム作用孔部の上動にともない、ノック操作保持部材６の半球状カム面６ａが、当該孔部の内側縁部分に倣ってノック操作保持部材用スプリング９の付勢力に抗しながら図示右側に移動する。
【００３４】
そして、ノック操作保持部材６が右方向に、角形フランジ部６ｂの外周面下部が段部１０ｃから外れる位置まで移動して、ノック部材１０の段部１０ｃとが角形フランジ部６ｂの下端部分との係止状態が解除されると、レフィールケース用スプリング１９およびノック部材用スプリング２２それぞれの上方向への弾性復帰力により、ノック操作部１７，ノック部材１０，およびレフィールケース１８などが初期位置に復帰する。すなわち、非使用モードへ移行し、それまで下軸筒２の孔部２ａから突出していたレフィール先端書記部分が下軸筒内部に格納される。
【００３５】
本発明が以上の実施形態に限定されないこと勿論であり、例えば、
(21)単一の書記部のみを収納する、
(22)振り子式の押出部材２１に代えて固定式の押出部材をノック部材１０に設けるとともに、下軸筒２と軸筒仕切筒１５とが一体となって上軸筒１に対し回動するようにして、その回動位置によって書記部が選択されるリボルバー式のものを用いる、
(23)解除ツマミ１２に対する下方向への変位操作により、使用モードから非使用モードへの復帰動作を行なう、
ようにしてもよい。
【符号の説明】
【００３６】
１：上軸筒
２：下軸筒
２ａ：孔部
３：錘
４：軸継手
５：天冠
６：ノック操作保持部材
６ａ：半球状カム面
６ｂ：角形フランジ部
７：第１の半円筒状部材
７ａ：案内作用孔部
８：第２の半円筒状部材
８ａ：鞘状部
９：ノック操作保持部材用スプリング
１０：ノック部材
１０ａ：幅狭スリット部
１０ｂ：幅広スリット部
１０ｃ：段部
１１：ロック解除筒
１１ａ：カム作用孔部
１２：解除ツマミ
１３：ロック解除筒用スプリング
１４：リング
１５：仕切筒
１６：クリップ
１７：ノック操作部
１８：レフィールケース
１８ａ：尾栓
１９：レフィールケース用スプリング
２０：レフィール（書記部）
２１：押出部材
２１ａ：押圧作用部（前端側部分）
２２：ノック部材用スプリング
２３：保持部材
【図１】
2010274578.tif 000003
【図２】
2010274578.tif 000004
【図３】
2010274578.tif 000005
【図４】
2010274578.tif 000006